(57)【特許請求の範囲】
【請求項１】
チェーン駆動機構に取付け板を介して取り付けられる本体と、この本体から張り出して取り付けられるとともに排気管が通過する孔が形成される固定部と、フレアの胴部を挿入しかつ前記フレアのテーパ状の鍔部の裏面と接触し前記フレアを載置する把持部と、前記固定部に前記把持部を押し付け前記フレアを固定保持する押圧手段と、前記フレアに挿入される前記排気管を保持するチャック部と、前記排気管と前記フレアの内壁との隙間に挿入される一対のリード線が前記フレアの底部から突出する長さを制限するストッパとを備えることを特徴とするマウントヘッド。
【請求項２】
前記把持部は、前記フレアのテーパ状の鍔部の一部と接触する接触面を有し、この接触面はフレアの直径が大きい場合にはテーパ状の鍔部の内側に寄った位置で鍔部と接触し、一方、フレアの直径が小さい場合にはテーパ状の鍔部の外側に寄った位置で鍔部と接触して直径の異なるフレアを固定保持することを特徴とする請求項１記載のマウントヘッド。
【請求項３】
前記押圧手段は、スプリングを備えることを特徴とする請求項１または請求項２記載のマウントヘッド。
【請求項４】
前記押圧手段は、前記スプリングを伸縮させるために上下に移動する可動リングを備えることを特徴とする請求項３記載のマウントヘッド。
【請求項５】
前記可動リングの上下移動は、前記チェーン駆動機構の走向に伴って高さが変化する板カムによることを特徴とする請求項４記載のマウントヘッド。
【請求項６】
前記ストッパから前記リード線を離脱させる手段を備えることを特徴とする請求項１、請求項２、請求項３、請求項４または請求項５記載のマウントヘッド。
【発明の詳細な説明】
【０００１】
【発明の属する技術分野】
本発明は、蛍光ランプのガラス管バルブの端部に取り付けられるフレアおよび排気管ならびにコイル取付け用のリ−ド線など含むステムマウント組立におけるマウントヘッドに関する。
【０００２】
【従来の技術】
通常、蛍光ランプは環形にしても直管形にしても、蛍光ランプの両端部に取付られるステムマウントの構造は同じである。また、この蛍光ランプのガラス管バルブは、鉛公害の防止や材料コストの低減の観点から鉛ガラスからソ−ダライムのガラスに変更されるに至った。しかし、このソ−ダライムのガラス管バルブを用いることにより、製造上の種々の問題が発生した。そこで、これら問題を解消するのに、ソ−ダライムガラスのガラス管バルブに適合するようにフレアおよび排気管の材質の改良や製造上の改善が施されていた。
【０００３】
図３は蛍光ランプの製造工程におけるステムマウント組立の一例を示す図である。この改善されたステムマウント４０は、例えば、図３に示すように、排気管４２を中心に溶着させるとともにガラス管バルブ（図示せず）内径と溶着される鍔部を有するフレア４１と、フレア４１に埋設されリ−ド線４３の両端に取付けられる点灯用のコイル４４とで構成されている。
【０００４】
そして、このステムマウントをソ−ダガラスのガラス管バルブに取付け、ソ−ダガラスのガラス管バルブを環状に成形するために、直線状のガラス管バルブを加熱炉を通過させるとき、鉛ガラスの排気管４２の軟化され排気管４２の排気孔が細くなったり閉鎖したりする。そこで、このステムマウントは、従来、低融点の排気管４２から、排気管４２の酸化鉛の含有量を１５〜２３パ−セントの低鉛ガラスにすることにより高融点化し、この問題を解消している。
【０００５】
一方、フレア４１についても、高温の加熱炉の通過時にマウント曲がりを起こし、コイル４４がガラス管バルブの内壁に接触する問題を起こしていた。この問題を解消するために、このステムマウントでは、フレア４１が含む酸化鉛１０〜２３パ−セントにし問題を解消している。
【０００６】
このように後工程である環状に曲げる工程やガラス管バルブの排気工程における排気部の高温に対する軟化を低鉛ガラスでフレアや排気管で製作することでソ−ダガラスの蛍光ランプの製造を安定させている（特許文献１参照）。
【０００７】
【特許文献１】
特開平８−１８０８３７号公報（３−４頁、図１,図２）
【０００８】
【発明が解決しようとする課題】
図４はフレアを固定する方法を説明するためのマウントヘッドを示す図である。上述したステムマウントの組立方法は、図４に示すように、マウントヘッドの把持部５２に挿入されたリ−ド線４３および排気管４２を含むフレア４１を、そのテ−パ状の鍔部４１ａを把持部５２により固定部５１に押しつけ、フレア４１を保持させた状態で自動化ラインであるチェ−ン駆動機構により順次送り、所定のステ−ションで、リ−ド線４３と配気管４２とフレア４１とを溶融し溶着を行っていた。
【０００９】
また、フレア４１の固定は、図４に示すように、フレア４１の鍔部４１ａのテ−パ部をマウントヘッドの固定部５１と把持部５２とで挟み保持していた。しかしながら、蛍光ランプのステムマウントは、フレア４１の鍔部４１ａの外径が２２〜３５ｍｍというように、種々の外形寸法の異なるものがある。従って、寸法が異なる毎に、マウントヘッドを交換しなければならないという問題がある。
【００１０】
このマウントヘッドはチェ−ン駆動機構に多数が取り付けられているので、交換には多くの時間を費やすという問題の他に幾種類のマウントヘッドを準備し保管しなければならないという設備コストおよび管理コストがかかる問題があった。
【００１１】
従って、本発明の目的は、フレアの鍔部の外形寸法が変わってもフレアを固定保持し自動化ラインに適用できるマウントヘッドを提供することにある。
【００１２】
【課題を解決するための手段】
本発明の第の特徴は、チェ−ン駆動機構に取付け板を介して取り付けられる本体と、この本体から張り出して取り付けられるとともに排気管が通過する孔が形成される固定部と、フレアの胴部を挿入しかつ前記フレアのテ−パ状の鍔部の裏面と接触し前記フレアを載置する把持部と、前記固定部に前記把持部を押し付け前記フレアを固定保持する押圧手段と、前記フレアに挿入される前記排気管を保持するチャック部と、前記排気管と前記フレアの内壁との隙間に挿入される一対のリ−ド線が前記フレアの底部から突出する長さを制限するストッパ−とを備えるマウントヘッドである。
【００１３】
また、前記把持部は、前記フレアのテーパ状の鍔部の一部と接触する接触面を有し、この接触面はフレアの直径が大きい場合にはテーパ状の鍔部の内側に寄った位置で鍔部と接触し、一方、フレアの直径が小さい場合にはテーパ状の鍔部の外側に寄った位置で鍔部と接触して直径の異なるフレアを固定保持することが望ましい。さらに、前記押圧手段は、スプリングを備えることが望ましい。その上、前記押圧手段は、前記スプリングを伸縮させるために上下に移動する可動リングを備えることが望ましい。
【００１４】
そして、好ましくは、前記可動リングの上下移動は、前記チェ−ン駆動機構の走向に伴って高さが変化する板カムよることである。一方、前記ストッパ−から前記リ−ド線を離脱させる手段を備えることが望ましい。
【００１５】
【発明の実施の形態】
次に、本発明について図面を参照して説明する。
【００１６】
図１は本発明の一実施の形態におけるマウントヘッドを示す斜視図および一部を拡大して示す図である。このマウントヘッド１は、図１に示すように、チェ−ン駆動機構８から取付け板９を介してて取付けられる本体３３と、本体３３の正面から張り出して取り付けられるとともに排気管４２およびリ−ド線４３がＶ溝に突き当てて挿入される受け部１６と、本体３３の側面に回転自在に取り付けられるとともにレバ−５によって回転され受け部１６に保持される排気管４２およびリ−ド線４３を固定するハイカンチャック３と、本体３３の下部から張り出すとともに排気管４２およびリ−ド線４３が通過する孔１７が形成される固定部６と、フレア４１の胴部が挿入され鍔部４１ａを保持する把持部２と、把持部２をスプリング１０を介してフレア４１の鍔部４１ａを固定部６に押し付ける可動リング１１とを備えている。
【００１７】
また、可動リング１１は、チェ−ン駆動機構８の走向に伴ってガイドレ−ル７に並行して下方に配置される板カム１５にチェ−ン駆動機構８の走向に伴って倣い、移動するピン１３が上方に移動し、可動リング１１がスプリング１０を圧縮させ把持部２に鍔部４１ａへの押圧力を与えている。一方、フレア４１内に挿入されたリ−ド線４３は、所定の位置に留まるようにリ−ド線４３の先端が入るガイド孔１４をもつストッパ１２が設けられている。
【００１８】
そして、リ−ド線４３の位置を決めるストッパ１２は、前述の板カム１５と同じようにガイドレ−ル７と平行に配置された他の板カム（図示せず）により上下に移動される。すなわち、工程によりストッパ１２が障害になるためリ−ド線４３をストッパ１２から離脱させる必要がある。
【００１９】
次に、このマウントヘッド１の動作を説明する。まず、図示していないパ−ツフィ−ダからロ−ダを介して送られるフレア４１の胴部は、把持部２の孔１８に挿入される。次に、チェ−ン駆動機構８によりチェ−ンの一こま進む。ハイカンチャック３は、常時はスプリング４の付勢力によりジョ−が閉じており、排気管４２がフレア４１内に挿入されるとき、レバ−５が押されジョ−３ａ,３ｂが開いている。排気管４２が上方から落とし込まれフレア４１内に挿入されると、スプリング４の付勢力によりレバ−５が後退し、ジョ−３ａ,３ｂが閉じ排気管４２を保持する。次に、受け部１６のＶ溝に挿入された排気管４２とＶ溝との隙間にリ−ド線４３を挿入し、フレア４１の底部から突出させる。そして、リ−ド線４３の先端はストッパ１２に保持される。
【００２０】
次に、チェ−ン駆動機構８の動作によりマウントヘッド１が進行に伴って、板カム１５によりピン１３が上昇し、可動リング１１がスプリング１０を圧縮させ、把持部２がフレア４１の鍔部４１ａを固定部６に押しつけ、フレア４１は固定される。そして、ストッパ１２は、フレア４１、排気管４２およびリ−ド線４３の溶着工程後に他の板カムにより下降させリ−ド線４３をストッパ１２から離脱させる。
【００２１】
図２（ａ）および（ｂ）は直径の異なるフレアを固定保持する実施例を説明するための図である。次に、上述したマウントヘッド１は直径の異なるフレアを保持できる。例えば、図２（ａ）に示すように、フレア４１の直径Ｄ１が大きい場合、把持部２のフレア４１の鍔部４１ａへの押さえる部分がフレア４１の鍔部４１ａの内側に寄った位置にさせる。一方、フレア４１の直径Ｄ２が小さい場合は、図２（ｂ）に示すように、把持部２のフレア４１の鍔部４１ａへの押さえる部分がフレア４１の鍔部４１ａの外側に寄った位置にさせる。
【００２２】
このように、鍔部４１ａに当たる把持部２の大きさをいずれかのフレア４１の鍔部４１ａにも接触するように、接触部分を鍔部４１ａに比べ小さめにすれば、従来、一つのマウントヘッドではできなかったフレア４１の鍔部４１ａの外径の大きさの異なる２２ｍｍ乃至４０ｍｍのフレアも保持できる。
【００２３】
【発明の効果】
以上説明したように本発明は、長さのあるテ−パ状のフレアの鍔部の一部と接触する接触面をもつ把持部と、フレアの鍔部を固定部にフレアを押しつける押圧手段とを設けることよって、フレアの鍔部の外径寸法が変わっても、確実にフレアを保持することができる。このことにより、フレアの寸法が異なる毎に、マウントヘッドの交換する必要が無くなるとともに交換に必要な工数が低減でき、かつマウントヘッドの管理費用および設備コストの増加が無くなるという効果がある。
【図面の簡単な説明】
【図１】本発明の一実施の形態におけるマウントヘッドを示す斜視図および一部を拡大して示す図である。
【図２】直径の異なるフレアを固定保持する実施例を説明するための図である。
【図３】蛍光ランプの製造工程におけるステムマウント組立の一例を示す図である。
【図４】フレアを固定する方法を説明するためのマウントヘッドを示す図である。
【符号の説明】
１    マウントヘッド
２    把持部
３    ハイカンチャック
４,１０    スプリング
５    レバ−
６    固定部
７    ガイドレ−ル
８    チェ−ン駆動機構
１１    可動リング
１２    ストッパ
１３    ピン
１４    ガイド孔
１５    板カム
１７,１８    孔
４１    フレア
４２    排気管
４３    リ−ド線
【図１】
0003667734.tif 000002
【図２】
0003667734.tif 000003
【図３】
0003667734.tif 000004
【図４】
0003667734.tif 000005